(57)【要約】【課題】昇降機製造会社系保守会社ではなくても、システムに加入することにより昇降機製造会社系保守会社と同じ昇降機の保守情報の供給が得られる昇降機保守情報提供システムを提供する。【解決手段】昇降機のための複数のリモート点検装置３と、これらのリモート点検装置に接続されて上記各リモート点検装置で得られる昇降機の保守情報を公衆回線４を介して収集、編集して蓄積する監視情報センタ５とを備え、上記監視情報センタが、システム加入者にインターネット８を介して上記蓄積した昇降機の保守情報を供給する昇降機保守情報提供システム。【選択図】図１
2006199486.tif 000002
【特許請求の範囲】
【請求項１】
昇降機のための複数のリモート点検装置と、これらのリモート点検装置に接続されて上記各リモート点検装置で得られる昇降機の保守情報を公衆回線を介して収集、編集して蓄積する監視情報センタとを備え、上記監視情報センタが、システム加入者にインターネットを介して上記蓄積した昇降機の保守情報を供給することを特徴とする昇降機保守情報提供システム。
【請求項２】
上記監視情報センタが上記昇降機の昇降機製造会社系列の保守会社のセンタであり、上記監視情報センタに上記保守情報を利用するための上記昇降機製造会社系列の保守会社のＬＡＮが接続されていることを特徴とする請求項１に記載の昇降機保守情報提供システム。
【請求項３】
上記システム加入者が上記昇降機の昇降機製造会社系列の保守会社とは別の保守会社であることを特徴とする請求項１又は２に記載の昇降機保守情報提供システム。
【発明の詳細な説明】
【技術分野】
【０００１】
この発明は、昇降機リモート点検システムで扱われる保守情報を情報提供システムの加入者に提供する昇降機保守情報提供システムに関する。
【背景技術】
【０００２】
従来、昇降機リモート点検システムとして、監視情報センタと、この監視情報センタ側に設置された通信制御装置と、エレベータ毎のメインテナンス情報を有するエレベータ制御盤と、エレベータ側に設置された通信制御装置とを備え、この通信制御装置は、メインテナンス情報が記録されているアドレスを格納するメインテナンス情報記録アドレスと、このメインテナンス情報記録アドレスを参照してエレベータ制御盤に記録されたメインテナンス情報を取得するメインテナンス情報採取機能と、このメインテナンス情報採取機能により定期的に取得されたメインテナンス情報を既設の電話回線および上記通信制御装置を経由して監視情報センタへ通知する定時通報機能と、を有するものがあった(例えば特許文献１参照)。
【０００３】
【特許文献１】特開２００３−２２１１７５号公報
【発明の開示】
【発明が解決しようとする課題】
【０００４】
上記のような従来の昇降機リモート点検システムは、各昇降機製造会社が独自のハードウェア、ソフトウェア、信号伝送方式を採用しているので、システムは当該昇降機製造会社系列の保守会社で個々に運営され、従って当該昇降機製造会社系列の保守会社と保守契約を結ばないと、リモート点検の対応ができないという課題があった。また、昇降機製造会社系列ではない非昇降機製造会社系保守会社によっては、例えばエレベータ制御盤や通信制御装置のプリント基板を勝手に改造して独自の方式で対応する場合もあるが、その場合にはその改造により昇降機所有者が昇降機製造会社の保証が受けられなくなったり、安全上および品質上の問題をかかえたまま、昇降機を使用することになるという課題があった。
【０００５】
この発明は、上記のような課題を解消するためになされたもので、昇降機製造会社系保守会社ではなくても、システムに加入することにより昇降機製造会社系保守会社と同じ昇降機の保守情報の供給が得られる昇降機保守情報提供システムを提供することを目的とする。
【課題を解決するための手段】
【０００６】
この発明は、昇降機のための複数のリモート点検装置と、これらのリモート点検装置に接続されて上記各リモート点検装置で得られる昇降機の保守情報を公衆回線を介して収集、編集して蓄積する監視情報センタとを備え、上記監視情報センタが、システム加入者にインターネットを介して上記蓄積した昇降機の保守情報を供給することを特徴とする昇降機保守情報提供システムにある。
【発明の効果】
【０００７】
この発明では、システムに加入することにより昇降機製造会社系保守会社と同じ昇降機の保守情報の供給が受けられる。
【発明を実施するための最良の形態】
【０００８】
実施の形態１．
図１はこの発明の一実施の形態による昇降機保守情報提供システムの構成を示す図である。各ビルＢＬ１〜Ｂｌｎに設けられた本システムの保守対象である昇降機(ここではエレベータ１として説明する)には、制御盤２、リモート点検装置３が設けられている。各リモート点検装置３は公衆回線４を介して昇降機製造会社系列の保守会社(以下メーカ系保守会社)の監視情報センタ５へ接続されている。
【０００９】
監視情報センタ５は後述の保守情報を蓄積するためのデータベース５ａを備える。そして監視情報センタ５には、例えば公衆回線を利用したメーカ系保守会社におけるＬＡＮ６が接続され、このＬＡＮ６にはＬＡＮ端末７が接続されている。監視情報センタ５にはさらに、インターネット８を介して例えば非昇降機製造会社系保守会社(以下非メーカ系保守会社)のインターネット端末９が接続されている。なお例えば、リモート点検装置３はマイクロプロセッサを含む電子制御装置、ＬＡＮ端末７およびインターネット端末９はＰＣ(パーソナルコンピュータ)、監視情報センタ５はＰＣ(パーソナルコンピュータ)や汎用コンピュータで構成される。
【００１０】
図２には、各リモート点検装置３と監視情報センタ５の機能ブロック図を示す。以下動作を説明すると、制御盤２は乗場ボタンやかご内ボタン(図示省略)の操作による呼び信号に従いエレベータ１の運転制御を行う。リモート点検装置３は制御盤２でのエレベータ１の制御信号をモニタ(制御信号モニタ手段３１)し、その制御信号を元にエレベータ１を構成する各種機器やセンサ(図示省略)の動作状態(所定の設定範囲内で動作が行われているか等)を示す点検データや、エレベータ１の運行データ(かごの停止階、荷重負荷、運転速度等を含む運転履歴等を含む)を作成し(点検・運行データ作成手段３２)、メモリ(図示省略)に記憶する(データ記憶手段３３)。また点検・運行データからエレベータの各種機器やセンサの変調や異常を検出(機器変調・異常検出手段３４)して、その結果を機器変調・異常データ(保守情報)として公衆回線４を介してメーカ系保守会社の監視情報センタ５へ通報し、さらに監視情報センタ５からの要求に応じてもしくは定期的にメモリに記憶されている点検データ、運行データも伝送する(通報・伝送手段３５、公衆回線通信機能３６)する。なお機器変調・異常データ中の緊急の情報(緊急を示すタグ等を付して判別)については即座に伝送する。
【００１１】
監視情報センタ５では、各リモート点検装置３からの点検データ、運行データ、機器変調・異常データからなる保守情報を収集(保守情報収集手段５１、公衆回線通信機能５６)し、例えば各地域、ビル、顧客、エレベータ番号、エレベータの機種、形式、製造時期等の所望の項目で検索可能なように例えばインデックスを付すなどして編集(保守情報編集手段５２)を行い、これらをデータベース５ａに蓄積(保守情報蓄積手段５３)する。そしてこれらの保守情報は、例えば公衆回線を利用したメーカ系保守会社におけるＬＡＮ６等によりＬＡＮ端末７で利用(保守情報利用管理手段５４，公衆回線通信機能５６)される。また、保守情報に基づいて技術者の派遣の指示等も行われる。
【００１２】
そしてメーカ系保守会社以外で、監視情報センタ５に蓄積されたエレベータの保守情報の提供を受けたい人あるいは会社等については、予め本昇降機保守情報提供システムへの加入手続きを行う。そして加入者になれば、例えば定期的にインターネット８を介して、例えば非メーカ系保守会社の端末であるインターネット端末９に加入条件に従った保守情報が供給(配信)(保守情報供給手段５５、インターネット機能５７)される。但し機器変調・異常データ中の緊急の情報(緊急を示すタグ等を付して判別)については即座に伝送する。
【００１３】
なお、本昇降機保守情報提供システムへの加入の際にＩＤ番号およびパスワード等の発行を行い、加入者がインターネット端末９からこれらのＩＤ番号やパスワードを入力することで、監視情報センタ５のデータベース５ａの、入力されたＩＤ番号やパスワードに従った予め定められた領域の範囲内の保守情報へのアクセスやダウンロードを可能にして利用できるようにしてもよい。
【００１４】
このようにして、メーカ系保守会社以外のエレベータの保守情報の提供を受けたい人あるいは保守会社にメーカ系保守会社と同等の保守情報を提供することにより、昇降機の所有者は数多くの保守会社から自分の気に入った保守会社を選択して、保守契約を結ぶことができる。そして低価格で、品質が安定した保守会社を選定することができ、またプリント基板の改造等も行う必要がなく、昇降機製造会社の製品保証も受けることができ、安全上の問題も解消される。
【００１５】
また、上記保守情報の編集は例えは、各リモート点検装置３から送られてくる保守情報にはそれぞれに個々のエレベータ等を特定する例えばエレベータ番号が含まれており、監視情報センタ５では、データベース５ａ等に予め別途保持している各エレベータの詳細属性情報(設置地域、ビル、顧客名、エレベータ番号、エレベータの機種、形式、製造時期等を含む)をこのエレベータ番号を基に検索して、所望のインデックスを付ける等して編集を行う。また各リモート点検装置３が、これらの所望のインデックスとなるエレベータの属性情報が予め付された状態で保守情報を送るようにしてもよい。
【００１６】
また、監視情報センタ５はメーカ系保守会社のものに限らず、同等の機能を有する本システムのために新に開設されたものであってもよい。さらにＬＡＮ６、ＬＡＮ端末７、およびこれに係わる保守情報利用管理手段５４はなくてもよい。
【図面の簡単な説明】
【００１７】
【図１】この発明の一実施の形態による昇降機保守情報提供システムの構成を示す図である。
【図２】図１の各リモート点検装置と監視情報センタの機能ブロック図である。
【符号の説明】
【００１８】
１  エレベータ、２  制御盤、３  リモート点検装置、４  公衆回線、５  監視情報センタ、５ａ  データベース、６  ＬＡＮ、７  ＬＡＮ端末、８  インターネット、９  インターネット端末(非メーカ系保守会社)、ＢＬ１〜ＢＬｎ  ビル。
【図１】
2006199486.tif 000003
【図２】
2006199486.tif 000004